(57)【要約】【課題】  集積紙葉類の集積状態を崩すことなく搬送し、良好に搬送できるようにする。【解決手段】  紙葉類を集積する集積部と、この集積部に集積された集積紙幣Ｓを搬送する搬送ベルトと、この搬送ベルトによって搬送される集積紙幣Ｓの長手方向の一端部側を押し上げるようにガイドするガイド部材７５と、このガイド部材７５によってガイドされる集積紙幣Ｓの他端部側を当接させて整位し、搬送方向に沿ってガイドする整位ガイド７６と、この整位ガイド７６に沿って搬送されてくる集積紙幣Ｓを帯で結束する結束機構とを具備する。【選択図】      図１０
2007137630.tif 000002
【特許請求の範囲】
【請求項１】
紙葉類を集積する集積部と、
この集積部に集積された集積紙葉類を搬送する搬送手段と、
この搬送手段によって搬送される前記集積紙葉類の搬送方向に対し直交する方向の一端部側を押し上げるようにガイドするガイド部材と、
このガイド部材によってガイドされる前記集積紙葉類の他端部側を当接させて前記集積紙葉類を整位し、搬送方向に沿ってガイドする整位ガイドと、
この整位ガイドに沿って搬送されてくる前記集積紙葉類を結束材で結束する結束手段と、
を具備することを特徴とする紙葉類処理装置。
【請求項２】
前記ガイド部材は前記集積紙幣の搬送方向に沿って設けられ、その搬送方向上流側端部に第１の傾斜面、下流側端部に第２の傾斜面を有し、前記集積紙幣の一端部側を前記第１の傾斜面に沿って上昇させ、前記第２の傾斜面に沿って下降させることを特徴とする請求項１記載の紙葉類処理装置。
【請求項３】
前記ガイド部材は前記集積紙葉類の長手方向の一端部側を押し上げ、前記整位ガイドは前記集積紙葉類の長手方向の他端部側を当接させることを特徴とする請求項１記載の紙葉類処理装置。
【請求項４】
前記ガイド部材は前記搬送手段のフロント側に設けられ、前記整位ガイドは前記搬送手段のリヤ側に設けられることを特徴とする請求項１記載の紙葉類処理装置。
【発明の詳細な説明】
【技術分野】
【０００１】
本発明は、例えば、紙幣をその金種などに応じて区分集積し、或いは、紙幣を所定枚数ずつ結束する紙葉類処理装置に関する。
【背景技術】
【０００２】
この種の紙葉類処理装置には、載置部に紙幣を複数枚積層状態で載置し、この載置した紙幣を一枚ずつ取込んで搬送し、その金種、真偽、表裏の向きなどを鑑査部で判別し、この判別結果に基づいて紙幣を複数の排出部に区分排出し、或いは、鑑査した紙幣を集積部に所定枚数集積し、この集積された集積紙幣を結束部に搬送して帯で結束処理するものがある（例えば、特許文献１参照。）。
【特許文献１】特開平８−２３５４０６号公報
【発明の開示】
【発明が解決しようとする課題】
【０００３】
しかしながら、従来においては、集積部から結束部に向かって搬送される集積紙幣を整位する整位機構を備えていなかったため、集積紙幣が崩れた状態で搬送されて結束されてしまうことがあり、良好な結束が期待できないという問題があった。
【０００４】
本発明は上記事情に着目してなされたもので、その目的とするところは、集積紙葉類の集積状態を崩すことなく搬送できるようにした紙葉類処理装置を提供することにある。
【課題を解決するための手段】
【０００５】
上記課題を解決するため、請求項１記載の発明は、紙葉類を集積する集積部と、この集積部に集積された集積紙葉類を搬送する搬送手段と、この搬送手段によって搬送される前記集積紙葉類の搬送方向に対し直交する方向の一端部側を押し上げるようにガイドするガイド部材と、このガイド部材によってガイドされる前記集積紙葉類の他端部側を当接させて前記集積紙葉類を整位し、搬送方向に沿ってガイドする整位ガイドと、この整位ガイドに沿って搬送されてくる前記集積紙葉類を結束材で結束する結束手段とを具備する。
【発明の効果】
【０００６】
本発明によれば、集積紙葉類の搬送時における崩れを防止でき、集積紙葉類を良好に結束することができる。
【発明を実施するための最良の形態】
【０００７】
以下、図面を参照して本発明の実施の形態を詳細に説明する。  
図１は本発明の一実施の形態である紙葉類処理装置としての紙幣整理機の外観を示すものである。
【０００８】
図１中１は装置本体で、この装置本体１の利用者が対面するフロント側の一側部側には紙葉類としての紙幣Ｐを各金種混合状態で載置させる載置部２が設けられている。この載置部２に載置された紙幣Ｐはその下部側のものから後述する取込ローラにより短手方向に沿って取込まれるようになっている。装置本体１の上面部には、フロント側に位置して横方向に並列に排出部３ａ〜３ｃが配設されている。これら第１乃至第３の排出部３ａ〜３ｃには、紙幣が金種別に区分されて排出される。第１の排出部３ａには、例えば、千円紙幣、第２の排出部３ｂには一万円紙幣、第３の排出部３ｃにはリジェクト紙幣が排出される。
【０００９】
装置本体１の上面部には、排出部３ａ〜３ｃの後方に位置して操作部４及び表示部５が設けられている。操作部４は、例えば、計数分類処理モード、或いは、結束処理モードを選択的に設定するものである。
【００１０】
図２は、紙幣整理機の内部構成を概略的に示すものである。
【００１１】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路１１に沿って搬送される。この第１の搬送経路１１の中途部には紙幣Ｐの金種、表裏、真偽等を識別する識別部１２が設けられている。
【００１２】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１３】
一方、上記した第３の搬送経路１５の紙幣搬送方向下流側には表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。
【００１４】
集積部２６の下方部には、集積部２６から排出される集積紙幣を結束部３０へ搬送する搬送手段としての搬送機構２８が設けられている。この搬送機構２８は複数のローラ４３間に掛け渡されて走行する搬送ベルト４４を備え、この搬送ベルト４４の上面部に集積紙幣を載置して搬送するようになっている。
【００１５】
結束部３０は、搬送ベルト４４によって受取位置に搬送されてくる集積紙幣に結束材としての帯を巻き付けて結束する結束手段としての結束機構４５と、この結束機構４５に帯を供給する帯供給機構３９と、この帯供給機構３９によって供給される帯に情報を印字する印字機構４０を備えて構成される。
【００１６】
帯供給機構３９は熱融着性の帯３６を繰り出す供給リール３７、この供給リール３７から繰り出した帯を供給する供給ルート３８、この供給ルート３８に沿って所定量送り出された帯をカットするカッタ３４を有して構成されている。
【００１７】
印字機構４０は、帯３６の供給ルート３８を介して対向配置される印字ヘッド４１とプラテンローラ４２を備え、印字ヘッド４１により帯３６に銀行の支店名、処理の日付け、通番等の情報を印字するようになっている。
【００１８】
図３は上記した結束機構４５を示す構成図である。
【００１９】
結束機構４５は搬送ベルト４４によって受取位置４６に搬送されてくる集積紙幣を受ける受け台４７と、この受け台４７に受けられた集積紙幣をクランプして湾曲させるクランパ機構４８と、このクランパ機構４８によりクランプされた集積紙幣に帯を巻き付ける帯巻付機構５０、５０と、この帯巻付機構５０、５０により巻き付けられた帯を加熱溶着するヒータ５２と、帯が溶着された集積紙幣を受取位置４６から押し出して放出させるシュート５３を有して構成される。
【００２０】
クランパ機構４８は下部クランパ５５と上部クランパ５６とを有している。下部クランパ５５は固定的に設けられ、下方に向かって突出するようにＶ字状に形成されている。下部クランパ５５の一端部側には垂直に起立する状態で整位板５８が一体的に形成されている。また、下部クランパ５５には供給されてくる帯の先端側を上方へ案内するとともに、搬送されてくる集積紙幣の先端部側を所定量上昇させて整位板５８に当接させるガイド板５９が設けられている。
【００２１】
上部クランパ５６は、回動プレート６１の回動端側に取り付けられている。回動プレート６１は駆動モータの駆動軸６２によって上下方向に回動され、上部クランパ５６を下部クランパ５５に対し接離する方向に移動させるようになっている。上部クランパ５６の下面部には突起部５６ａが下方に向かって突設され、この突起部５６ａによって集積紙幣の上面部を下方に押し下げて集積紙幣を略Ｕ字状に湾曲させるようになっている。
【００２２】
帯巻付機構５０、５０は帯の先端側を折り曲げて集積紙幣の上面部に沿わせる第１の折曲部材６４と、帯の後端側を折り曲げて集積紙幣の上面部に沿わせて帯の先端側に重ね合わせる第２の折曲部材６５を備えている。第１の折曲部材６４は、図示しないソレノイドによって動作され、第２の折曲部材６５は、図示しない駆動モータによって動作されるようになっている。
【００２３】
上記受け台４７は上下動自在に設けられ、クランパ機構４８による集積紙幣のクランプ時には受取位置４６から所定量下降されるようになっている。
【００２４】
また、上記受け台４７の近傍には、押上手段としての押上ガイド６７が設けられている。この押上ガイド６７は受け台４７にリンク機構６８を介して接続されている。押上ガイド６７は受け台４７の上下動に基づいてリンク機構６８を介して反するように上下動するようになっている。即ち、受け台４７が下降すると、押上ガイド６７が上昇して集積紙幣の搬送方向後端部側を押し上げてその垂れ下がりを規制し、受け台４７が上昇して受取位置４６に復帰すると、押上ガイド６７が下降して待機位置に戻るようになっている。
【００２５】
図９は上記した集積部２６から結束部３０に向かって搬送される集積紙幣Ｓを整位するための整位機構７４を示す正面図で、図１０はその側面図である。
【００２６】
図中７５は集積紙幣Ｓの搬送方向に沿って設けられるガイド部材で、このガイド部材７５には、整位ガイド７６が離間対向して配置されている。ガイド部材７５は、搬送機構のフロント側に設けられ、整位ガイド７６はリヤ側に設けられている。ガイド部材７５の紙幣搬送方向上流側の端部には第１の傾斜面７５ａが形成され、紙幣搬送方向下流側の端部には第２の傾斜面７５ｂが形成されている。
【００２７】
集積部２６から搬送される集積紙幣はその搬送方向に対し直交する方向（長手方向）の一端部がガイド部材７５の第１の傾斜面７５ａに沿って上昇してガイド部材７５の上面部に乗り上がって傾斜する。この傾斜により、集積紙幣Ｓは整位ガイド７６側に移動してその他端部側を整位ガイド７６に当接させて整位されるようになっている。
【００２８】
次に、上記した紙幣整理機の処理動作について説明する。
【００２９】
まず、装置本体１の載置部２に混合金種の紙幣Ｐを積層状態で載置し、操作部４によって、計数分類処理モード或いは、結束処理モードを設定する。この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００３０】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により第１の排出ローラ対２０ａに送られ、この第１の排出ローラ対２０ａの回転により第１の排出部３ａに排出される。識別された紙幣が例えば万円券である場合には、第２の振分ゲート１８の動作により第２の排出ローラ対２０ｂに送られ、この第２の排出ローラ対２０ｂの回転により第２の排出部３ｂに排出される。識別された紙幣が例えば２枚重なり紙幣、連鎖紙幣、偽紙幣等の識別不能紙幣、分類金種紙幣以外の金種紙幣である場合には、第３の排出ローラ対２０ｃに送られ、この第３の排出ローラ対２０ｃの回転により第３の排出部３ｃに排出される。
【００３１】
一方、操作部４によって結束処理モードが設定されていた場合には、予め結束する紙幣の金種を指定しておくと、指定金種の紙幣は切替ゲート１３を介して第３の搬送経路１５へ送られて表裏反転機構２２に搬送される。この表裏反転機構２２に送られた紙幣は一方の面に揃えられたのち第４の搬送経路２４を介して集積部２６に送り込まれる。このとき、指定された金種以外の紙幣は計数分類処理モード時と同様に第１乃至第３の排出部３ａ〜３ｃに排出される。
【００３２】
集積部２６に所定枚数（例えば１００枚）の紙幣が集積されると、集積部２６から図４（ａ）に示すように搬送ベルト４４上に移載される。この移載された集積紙幣Ｓは搬送ベルト４４の走行により結束部３０に向かって搬送される。この搬送時には、集積紙幣Ｓの長手方向の一端部側がガイド部材７５の第１の傾斜面７５ａに沿って上昇してガイド部材７５の上面部に乗り上がる。これにより、図１０にも示すように集積紙幣Ｓが傾斜する。この傾斜により集積紙幣Ｓは整位ガイド７６側に移動してその他端部側を整位ガイド７６に当接して整位され、整位ガイド７６に沿って搬送される。この整位搬送される集積紙幣Ｓはその一端部側がガイド部材７５の第２の傾斜面７５ｂに沿って下降して受け台４７上に送り込まれる。また、このときには、供給リール３７から帯３６が供給され、この帯３６は集積紙幣Ｓの搬送とともに送り出され、ガイド板５９に沿って上方に案内される。この帯３６が所定長さ送り出されると、その先端部側が検知センサ７０によって検知され、帯３６の送り出しが停止される。
【００３３】
こののち、図５（ａ）に示すように上部クランパ５６が下方に回動されてその突起部５６ａによって集積紙幣Ｓを下方に押し下げて湾曲させる。この湾曲後、帯３６がカッタ３４によって切断される。
【００３４】
また、集積紙幣Ｓのクランプ時には、集積紙幣Ｓの湾曲動作に基づいて受け台４７が下降され、リンク機構６８を介して押上ガイド６７が上昇される。この押上ガイド６７の上昇により、集積紙幣Ｓの搬送方向後端部側Ｓａが押し上げられ、その垂れ下がりが防止される。
【００３５】
こののち、図５（ｂ）に示すように、ソレノイド（図示しない）の励磁により第１の折曲部材６４が動作されて帯３６の先端側を上部クランパ５６の上面部に沿って折り曲げ、ついで、図６（ａ）に示すように駆動モータ（図示しない）が動作して第２の折曲部材６５が動作されて帯３６の後端部側を上部クランパ５６の上面に沿うように折り曲げて既に折り曲げられている帯３６の先端部側に重ね合わせる。
【００３６】
このように帯３６の両端部を重ね合わせたのち、図６（ｂ）に示すようにヒータ５２が下降されて帯３６の重ね合わされた両端部を加熱して溶着する。これにより、集積紙幣は帯３６により結束されて紙幣把になる。帯３６の溶着後、図７（ａ）に示すように、ヒータ５２が上昇されて待機位置に戻るとともに、第１及び第２の折曲部材６４，６５が待機位置に戻る。
【００３７】
こののち、図７（ｂ）に示すように、上部クランパ５６が少し上昇されてシュート５３が前進されて紙幣把Ｓが放出される。この放出される紙幣把Ｓは図示しない収納部に収納される。紙幣把Ｓの放出後は、図８に示すように上部クランパ５６が上昇されて待機位置に戻り、シュート５３が後退されて待機位置に戻る。さらに、受け台４７が上昇して受取位置４６に戻り、押上ガイド６７が下降して待機位置に戻る。以下、順次同様にして集積紙幣の結束動作を繰り返す。
【００３８】
上記したように、この実施の形態によれば、搬送される集積紙幣Ｓの長手方向一端部側をガイド部材７５によって押し上げるようにガイドして傾斜させ、この傾斜により集積紙幣Ｓの長手方向他端部側を整位ガイド７６に当接させて整位して搬送方向に沿ってガイドするため、集積紙幣Ｓの長手方向のズレを規制することができ、集積紙幣を整位した状態で良好に結束することが可能になる。
【００３９】
また、ガイド部材７５の一端部には第１の傾斜面７５ａ、他端部には第２の傾斜面７５ｂを形成するため、集積紙幣Ｓの一端部を第１の傾斜面７５ａに沿わせてスムーズに押し上げることができるとともに、第２の傾斜面７５ｂに沿わせてスムーズに下降させて送り出すことができる。
【００４０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４１】
【図１】本発明の一実施の形態である紙幣整理機を示す外観斜視図。
【図２】図１の紙幣整理機の内部構成を示す図。
【図３】図１の紙幣整理機の結束機構を示す図。
【図４】図３の結束機構に向かって集積紙幣が搬送されたのち受け台に載置された状態を示す図。
【図５】図３の結束機構の受け台に載置された集積紙幣がクランプされたのち、帯先端側が上部クランパに沿って折り曲げられた状態を示す図。
【図６】帯後端側が上部クランパに沿って折り曲げられて帯先端側に重ね合わされたのち、この重ね合わされた両端部がヒータによって加熱される状態を示す図。
【図７】帯を溶着したヒータが待機位置に戻されたのち、紙幣把が受け台から放出される状態を示す図。
【図８】紙幣把の放出後、上部クランパ、受け台、押上ガイドが待機位置に戻された状態を示す図。
【図９】集積部と結束部との間に設けられ、搬送される集積紙幣をガイドするガイド機構を示す正面図。
【図１０】図９のガイド機構を示す側面図。
【符号の説明】
【００４２】
Ｐ…紙葉類、Ｓ…集積紙葉類、２６…集積部、３６…帯（結束材）、４４…搬送ベルト（搬送手段）、４５…結束機構（結束手段）、７５…ガイド部材、７５ａ…第１の傾斜面、７５ｂ…第２の傾斜面、７６…整位ガイド。
【図１】
2007137630.tif 000003
【図２】
2007137630.tif 000004
【図３】
2007137630.tif 000005
【図４】
2007137630.tif 000006
【図５】
2007137630.tif 000007
【図６】
2007137630.tif 000008
【図７】
2007137630.tif 000009
【図８】
2007137630.tif 000010
【図９】
2007137630.tif 000011
【図１０】
2007137630.tif 000012